(57)【要約】【課題】吹矢筒とともに携帯しやすく、吹矢筒の内周面の清掃に使い勝手がよい吹矢筒用クリーナを提供する。【解決手段】第一の筒体１１、第二の筒体１２、第三の筒体１３からなり、第一の筒体１１の一端部に挿入係合部２１を、第三の筒体１３の一端部に挿入係合部２２をそれぞれ取り付け、第二の筒体１２の両端部に挿入係合部２１、２２が挿入される被挿入係合部１２１、１２２を設け、第一の筒体１１の他端部１１１に冠着した清掃部４１に一端を固定され、第一の筒体１１から第三の筒体１３へ貫通して、第三の筒体１３の他端部１３１に冠着した持ち手部４２に他端が固定されたバネ３１および水糸３２からなる弾性紐状体３を設けた吹矢筒用クリーナ１を得る。【選択図】図１
0003137260.tif 000002
【実用新案登録請求の範囲】
【請求項１】
複数に分割された棒状体からなり、
一方の棒状体の端部に挿入係合部を設け、
他方の棒状体の端部に前記挿入係合部が挿入される被挿入係合部を設け、
前記挿入係合部を前記被挿入係合部に挿入することにより、前記複数の棒状体を１つの棒状体に連結した、
ことを特徴とする吹矢筒用クリーナ。
【請求項２】
請求項１に記載の吹矢筒用クリーナにおいて、
前記複数の棒状体を筒体とし、
前記複数の棒状体を前記１つの棒状体に連結した状態で、一端の棒状体に一端が固定され、前記一端の棒状体から他端の棒状体へ貫通して他端が前記他端の棒状体に固定された弾性紐状体を設け、
この弾性紐状体を伸長させることにより、前記挿入係合部と前記被挿入係合部との係合を解除し、前記１つの棒状体を前記複数の棒状体に折り畳み可能とした、
ことを特徴とする吹矢筒用クリーナ。
【考案の詳細な説明】
【技術分野】
【０００１】
本考案は、吹矢筒の内周面を清掃する吹矢筒用クリーナに関し、特に、吹矢筒とともに持ち運びやすく、吹矢筒の内周面の清掃に使い勝手が良い吹矢筒用クリーナに関する。
【背景技術】
【０００２】
吹矢は、吹矢筒に詰めた矢を腹式呼吸により飛ばす仕組みから、最近の健康志向を背景に、スポーツ吹矢等の名称で注目を集めている。このスポーツ吹矢では、フェノール樹脂やカーボン樹脂で作製される、全長１２０ｃｍ、内径１３ｍｍの吹矢筒、先端が金属製で胴がビニールフィルム製の全長２０ｃｍの矢、約３０ｃｍ四方の板に同心円で描かれた的のほか、吹矢筒の内周面を清掃するための吹矢筒用クリーナが道具として必要である。
【０００３】
この中で、吹矢筒用クリーナには、従来、ひも状のもの、吹矢筒の内径よりも小さな外径をもち、吹矢筒と同等の全長を有する一本の丸棒状のもの等が知られている。ひも状の吹矢筒用クリーナは、軽くコンパクトに収めることができるので、持ち運びに便利であるが、使いづらく、吹矢筒をしっかりと清掃できているかどうか分かりづらいといった問題があった。さらに、一本の丸棒状の吹矢筒用クリーナは、先端に布やティッシュペーパーを付けて吹矢筒の筒内を通し、内周面を清掃するのだが、吹矢筒と同様に１２０ｃｍの全長を有するので、持ち運びに不便であり、また、不使用時の収納場所にも困るといった問題があった。
【考案の開示】
【考案が解決しようとする課題】
【０００４】
ここで、吹矢筒に関し、１２０ｃｍの全長の筒を二分割あるいは三分割して持ち運び、これら分割した筒を連結して組み立てて使用するという携帯および収納に便利なタイプが最近、新たに登場している。ところが、吹矢筒用クリーナは依然、ひも状のもの、吹矢用パイプと同等の全長を有する一本の丸棒状のものしか知られておらず、一本の丸棒状の吹矢筒用クリーナを、分割して携帯するタイプの吹矢筒とともに持ち運びすることが困難であるといった問題も新たに生じている。
【０００５】
本考案は、上記の実情に鑑みて提案され、分割して携帯するタイプの吹矢筒とともに持ち運びやすく、吹矢筒の内周面の清掃に使い勝手が良い吹矢筒用クリーナを提供することを目的とする。
【課題を解決するための手段】
【０００６】
上記目的を達成するために、本考案に係る吹矢筒用クリーナは、複数に分割された棒状体からなり、一方の棒状体の端部に挿入係合部を設け、他方の棒状体の端部に前記挿入係合部が挿入される被挿入係合部を設け、前記挿入係合部を前記被挿入係合部に挿入することにより、前記複数の棒状体を１つの棒状体に連結した、ことを特徴とする。
【０００７】
特に、上記吹矢筒用クリーナにおける複数の棒状体を筒体とし、複数の棒状体を１つの棒状体に連結した状態で、一端の棒状体に一端が固定され、一端の棒状体から他端の棒状体へ貫通して、他端が他端の棒状体に固定された弾性紐状体を設け、この弾性紐状体を伸長させることにより、挿入係合部と被挿入係合部との係合を解除し、１つの棒状体を複数の棒状体に折り畳み可能とすることが、好ましい。
【考案の効果】
【０００８】
本考案に係る吹矢筒用クリーナは、まず、複数に分割された棒状体で構成したので、持ち運びに便利で、分割して携帯するタイプの吹矢筒とともに持ち運ぶことができる。また、不使用時の収納場所に困ることもない。さらに、一方の棒状体の端部に挿入係合部を設け、他方の棒状体の端部に挿入係合部が挿入される被挿入係合部を設け、挿入係合部を被挿入係合部に挿入することにより、複数の棒状体を１つの棒状体に連結したので、簡単に組み立てて使用することができるとともに、１つの棒状体に連結した状態で吹矢筒と同等の全長を有するため、使い勝手良く吹矢筒の内周面を清掃することができる。
【０００９】
特に、複数に分割された棒状体を筒体とし、複数の棒状体（筒体）を１つの棒状体（筒体）に連結した状態で、一端の棒状体（筒体）に一端が固定され、一端の棒状体（筒体）から他端の棒状体（筒体）へ貫通して、他端が他端の棒状体（筒体）に固定された弾性紐状体を設けたので、複数に分割された棒状体（筒体）を連結する際に紐状体の弾性が働いて、簡単に組み立てて使用することができるほか、吹矢筒の内周面の清掃中に、複数に分割された棒状体（筒体）が連結した１つの棒状体（筒体）から外れた場合も、分割された棒状体（筒体）を吹矢筒内に留まらせることなく、簡単に取り出すことができる。さらに、弾性紐状体を伸長させることにより、挿入係合部と被挿入係合部との係合を解除し、１つの棒状体（筒体）を複数の棒状体（筒体）に折り畳み可能としたので、持ち運びに便利で、分割して携帯するタイプの吹矢筒とともに持ち運ぶことができるほか、複数に分割した棒状体（筒体）を散在させることがなくなって、紛失する恐れを解消することができる。
なお、複数に分割された棒状体（筒体）を丸筒体とすると、吹矢筒の内周面に沿った形状となるので、吹矢筒の内周面を傷つけることを防止して、より一層の使い勝手の良さを提供することが可能となる。
【考案を実施するための最良の形態】
【００１０】
以下、実施形態を示す図面に基づいて本考案を詳細に説明する。
図１は、本考案に係る吹矢筒用クリーナの折り畳んだ状態を示す正面図である。図２は、本考案に係る吹矢筒用クリーナの組み立てた状態を示す正面図である。図３は、本考案に係る吹矢筒用クリーナの構成部品を示す分解説明図である。
【００１１】
図１に示す通り、本考案に係る吹矢筒用クリーナー１は、３つに分割された棒状体としての第一の筒体１１、第二の筒体１２、第三の筒体１３からなり、第一の筒体１１の一端部には挿入係合部２１が、第三の筒体１３の一端部には挿入係合部２２がそれぞれ設けられるとともに、第二の筒体１２の両端部に挿入係合部２１、２２が挿入される被挿入係合部１２１、１２２（第二の筒体１２の穴）が設けられ、第一の筒体１１の一端部の挿入係合部２１が第二の筒体１２の被挿入係合部１２１に、第三の筒体１３の一端部の挿入係合部２２が第二の筒体１２の被挿入係合部１２２にそれぞれ挿入されることにより、図２に示すような、第一の筒体１１、第二の筒体１２、第三の筒体１３が１つの棒状体（筒体）に連結されるものである。
【００１２】
特に、第一の筒体１１、第二の筒体１２、第三の筒体１３が１つの筒体に連結された状態で、第一の筒体１１に一端が固定され、第一の筒体１１から第三の筒体１３へ貫通して他端が第三の筒体１３に固定される、図示されないバネおよび水糸からなる弾性紐状体が設けられ、この弾性紐状体を伸長させることにより、第一の筒体１１の一端部の挿入係合部２１と第二の筒体１２の被挿入係合部１２１との係合、および、第三の筒体１３の一端部の挿入係合部２２と第二の筒体１２の被挿入係合部１２２との係合をそれぞれ解除し、連結された１つの棒状体（筒体）を第一の筒体１１、第二の筒体１２、第三の筒体１３に折り畳み可能としている。
【００１３】
なお、第一の筒体１１の他端部１１１（第一の筒体１１、第二の筒体１２、第三の筒体１３を連結した１つの筒体の一端部）には、清掃部４１が冠着され、第三の筒体１３の他端部１３１（第一の筒体１１、第二の筒体１２、第三の筒体１３を連結した１つの筒体の他端部）には、持ち手部４２が冠着されている。
【００１４】
ここで、図３に基づいて、本考案に係る吹矢筒用クリーナ１の構成部品をそれぞれ説明する。３つに分割された第一の筒体１１、第二の筒体１２、第三の筒体１３はそれぞれ、例えば、０．６ｃｍの外径を有する筒体である。また、第一の筒体１１および第三の筒体１３の全長が３９．０ｃｍ、第二の筒体１２の全長が４３．０ｃｍである。第一の筒体１１と第二の筒体１２を連結する挿入係合部２１、および、第二の筒体１２と第三の筒体１３とを連結する挿入係合部２２はそれぞれ、例えば、アクリル製で、０．５ｃｍの外径を有し、全長４．０ｃｍの筒体である。バネ３１および水糸３２からなる弾性紐状体３は、全長１２０ｃｍで、例えば、第一の水糸３２１、第一のバネ３１１、第二のバネ３１２、第二の水糸３２２の順に連結されている。
清掃部４１は、清掃する吹矢筒の内径より小径の、例えば、１．２ｃｍの外径を有し、全長３．０ｃｍの木製の丸棒であって、二つの丸面（側面）の一方に第一の筒体１１の外径と同径で、例えば、深さ１．０ｃｍの穴４１１を有している。また、この穴４１１の底から、弾性紐状体３の一端を固定するための第一の針金５１を突出させている。持ち手部４２は、清掃する吹矢筒の内径より大径の、例えば、１．５ｃｍの外径を有し、全長５．０ｃｍの木製の丸棒であって、二つの丸面（側面）の一方に第三の筒体１３の外径と同径で、例えば、深さ３．０ｃｍの穴４２１を有し、この穴４２１の底から弾性紐状体３の他端を固定するための第二の針金５２を突出させている。
【００１５】
次に、上記した構成物品から本考案に係る吹矢筒用クリーナ１を得るための組み立てについて説明する。
まず、第一の筒体１１の一端部に挿入係合部２１を、例えば、２．０ｃｍ挿入し、さらに、接着剤等により第一の筒体１１の一端部の内周面に固定する。また、第三の筒体１３の一端部に挿入係合部２２を、例えば、２．０ｃｍ挿入し、接着剤等により第三の筒体１３の一端部の内周面に固定する。続いて、第一の筒体１１の挿入係合部２１の反対側から第一の筒体１１、第二の筒体１２、第三の筒体１３の順に、第三の筒体１３の挿入係合部２２の反対側へ、第一の水糸３２１、第一のバネ３１１、第二のバネ３１２、第二の水糸３２２の順に連結されている弾性紐状体３を挿通する。
【００１６】
さらに、弾性紐状体３の第一のバネ３１１と連結していない側の第一の水糸３２１の端部と、清掃部４１の第一の針金５１とを連結し、弾性紐状体３の第二のバネ３１２と連結していない側の第二の水糸３２２の端部と、持ち手部４２の第二の針金５２とを連結する。そして、清掃部４１の第一の筒体１１の外径と同径の穴４１１の底まで、第一の筒体１１の他端部１１１（第一の筒体１１、第二の筒体１２、第三の筒体１３を連結した１つの筒体の一端部）を挿入し、接着剤等により清掃部４１を第一の筒体１１の他端部１１１の外周に固定する。また、持ち手部４２の第三の筒体１３の外径と同径の穴４２１の底まで、第三の筒体１１の他端部１３１（第一の筒体１１、第二の筒体１２、第三の筒体１３を連結した１つの筒体の他端部）を挿入し、接着剤等により持ち手部４２を第三の筒体１３の他端部１３１の外周に固定する。
【００１７】
そうすると、第一の筒体１１、第二の筒体１２、第三の筒体１３からなり、第一の筒体１１の一端部には挿入係合部２１が、第三の筒体１３の一端部には挿入係合部２２がそれぞれ取り付けられ、第二の筒体１２の両端部に挿入係合部２１、２２が挿入される被挿入係合部１２１、１２２が設けられるとともに、第一の筒体１１の他端部１１１（第一の筒体１１、第二の筒体１２、第三の筒体１３を連結した１つの筒体の一端部）に冠着した清掃部４１に一端が固定され、第一の筒体１１から第三の筒体１３へ貫通して、第三の筒体１３の他端部１３１（第一の筒体１１、第二の筒体１２、第三の筒体１３を連結した１つの筒体の他端部）に冠着した持ち手部４２に他端が固定されるバネ３１および水糸３２からなる弾性紐状体３が設けられた、本考案に係る吹矢筒用クリーナ１を得ることができる。
【００１８】
なお、図１のように折り畳まれた状態から、図２のように組み立てて吹矢筒用クリーナ１を使用するには、第一の筒体１１の一端部の挿入係合部２１を第二の筒体１２の被挿入係合部１２１に、第三の筒体１３の一端部の挿入係合部２２を第二の筒体１２の被挿入係合部１２２にそれぞれ挿入すれば、３つに分割された第一の筒体１１、第二の筒体１２、第三の筒体１３が１つの筒体に連結された状態となって、吹矢筒用クリーナ１が組み立てられ、吹矢筒の内周面の清掃に使い勝手良く使用することができる。
また、図２のように１つの筒体に連結した吹矢筒用クリーナ１を、図１のように折り畳んで持ち運ぶには、バネ３１および水糸３２からなる弾性紐状体３を伸長させて、第一の筒体１１の一端部の挿入係合部２１と第二の筒体１２の被挿入係合部１２１との係合、および、第三の筒体１３の一端部の挿入係合部２２と第二の筒体１２の被挿入係合部１２２との係合をそれぞれ解除すれば、１つの筒体に連結した吹矢筒用クリーナ１を３つに分割した第一の筒体１１、第二の筒体１２、第三の筒体１３として折り畳むことができ、さらに、弾性紐状体３の弾性が生かされてコンパクトに折り畳まれた状態とすることができて、例えば、分割して携帯するタイプの吹矢筒とともに持ち運ぶことができる。
【００１９】
そして、使用時における１つの筒体に連結した吹矢筒用クリーナ１は、持ち手部４２を除いた全体が１２０．０ｃｍとなるので、清掃部４１にて１２０ｃｍの全長を有する吹矢筒の内周面を隈無く清掃することができる。一方、持ち運ぶ状態における３つの筒体に分割された吹矢筒用クリーナ１は、一端部に挿入係合部２１が固定され、他端部１１１に清掃部４１が冠着された第一の筒体１１の全体が４３．０ｃｍ、第二の筒体１２の全長が４３．０ｃｍ、一端部に挿入係合部２２が固定され、他端部１３１に持ち手部４２が冠着された第三の筒体１３の全体が４３．０ｃｍとなるので、吹矢筒用クリーナ１が三等分に分割された状態となり、例えば、第一の筒体１１、第二の筒体１２および第三の筒体１３のいずれかが突出して持ち運びの際に危険となるといったこともなく、持ち運びの勝手がよい。特に、第一の筒体１１、第二の筒体１２および第三の筒体１３の筒体内には、弾性紐状体３が挿通されているので、第一の筒体１１、第二の筒体１２、第三の筒体１３が散在することもなく、紛失の心配もない。
【００２０】
したがって、本考案に係る吹矢筒用クリーナ１は、まず、３つに分割された第一の筒体１１、第二の筒体１２、第三の筒体１３で構成したので、持ち運びに便利で、分割して携帯するタイプの吹矢筒とともに持ち運ぶことができ、不使用時の収納場所にも困ることもない。さらに、第一の筒体１１の一端部に挿入係合部２１を、第三の筒体１３の一端部に挿入係合部２２をそれぞれ設けるとともに、第二の筒体１２の両端部に挿入係合部２１、２２が挿入される被挿入係合部１２１、１２２を設け、第一の筒体１１の一端部の挿入係合部２１を第二の筒体１２の被挿入係合部１２１に、第三の筒体１３の一端部の挿入係合部２２を第二の筒体１２の被挿入係合部１２２にそれぞれ挿入し、第一の筒体１１、第二の筒体１２、第三の筒体１３を１つの筒体に連結したので、簡単に組み立てて使用することができるとともに、持ち手部４２を除いた全体が１２０．０ｃｍとなって、清掃部４１にて１２０ｃｍの全長を有する吹矢筒の内周面を隈無く清掃することができる。なお、本考案に係る吹矢筒用クリーナ１は筒体（丸筒体）であり、吹矢筒の内周面に沿った形状となるので、吹矢筒の内周面を傷つけることを防止して、より一層の使い勝手の良さを提供することができる。
【００２１】
特に、第一の筒体１１、第二の筒体１２、第三の筒体１３が１つの筒体に連結された状態で、第一の筒体１１の他端部１１１（第一の筒体１１、第二の筒体１２、第三の筒体１３を連結した１つの筒体の一端部）に冠着した清掃部４１に一端が固定され、第一の筒体１１から第三の筒体１３へ貫通して、第三の筒体１３の他端部１３１（第一の筒体１１、第二の筒体１２、第三の筒体１３を連結した１つの筒体の他端部）に冠着した持ち手部４２に他端が固定されるバネ３１および水糸３２からなる弾性紐状体３を設けたので、第一の筒体１１、第二の筒体１２、第三の筒体１３を１つの筒体に連結する際に弾性紐状体３の弾性が働いて、簡単に組み立てて使用することができるほか、吹矢筒の内周面の清掃中に、第一の筒体１１、第二の筒体１２、第三の筒体１３のいずれかが連結した１つの筒体から外れた場合にも、外れた筒体を吹矢筒内に留まらせることなく、簡単に取り出すことができるなど、使い勝手を向上させることができる。さらに、弾性紐状体３を伸長させることにより、第一の筒体１１の一端部の挿入係合部２１と第二の筒体１２の被挿入係合部１２１との係合、および、第三の筒体１３の一端部の挿入係合部２２と第二の筒体１２の被挿入係合部１２２との係合をそれぞれ解除し、連結された１つ筒体を第一の筒体１１、第二の筒体１２、第三の筒体１３に折り畳み可能としたので、持ち運びに便利で、分割して携帯するタイプの吹矢筒とともに持ち運ぶことができ、第一の筒体１１、第二の筒体１２、第三の筒体１３のいずれかを散在させることもなくなって、紛失する恐れを解消することができる。
【００２２】
ここで、上記実施例では、３つに分割された棒状体としての第一の筒体１１、第二の筒体１２、第三の筒体１３からなる吹矢筒用クリーナ１を例示して説明したが、吹矢筒の分割数、持ち運び時の利便性等から、二以上適宜の数に分割された棒状体で吹矢筒用クリーナを構成してもよい。このような実施形態では、分割した棒状体の数に応じて、一方の棒状体の端部に挿入係合部を設け、他方の棒状体の端部に挿入係合部が挿入される被挿入係合部を設けて、挿入係合部を被挿入係合部に挿入し、二以上適宜の数に分割された棒状体を１つの棒状体に連結すれば、本考案に係る吹矢筒用クリーナを構成することができ、持ち運びやすさ、収納のしやすさ等に柔軟に対応することができる効果が加わることとなる。
【００２３】
さらに、一方の棒状体の端部を直接加工して挿入係合部を設け、他方の棒状体の端部を直接加工して、挿入係合部が挿入される被挿入係合部を設ける等、棒状体を直接加工することにより本考案に係る吹矢筒用クリーナを構成してもよく、このような実施形態では、部品点数の削減等が認められてコストダウンを図ることができる。なお、複数に分割された棒状体は、中空の筒体に限られることもなく、一方の棒状体の端部に挿入係合部を設け、他方の棒状体の端部に挿入係合部が挿入される被挿入係合部を設け、挿入係合部を被挿入係合部に挿入して１つの棒状体に連結することができるものであれば、本考案に係る吹矢筒用クリーナを構成することができる。
【００２４】
また、上記実施例では、第一の筒体１１の一端部には挿入係合部２１が、第三の筒体１３の一端部には挿入係合部２２がそれぞれ取り付けられ、第二の筒体１２の両端部に挿入係合部２１、２２が挿入される被挿入係合部１２１、１２２が設けられている吹矢筒用クリーナ１を例示して説明したが、第一の筒体、第二の筒体、第三の筒体のそれぞれの一端部に挿入係合部を設け、それぞれの他端部に被挿入係合部を設ける構成としてもよい。このような実施形態では、第一の筒体、第二の筒体、第三の筒体を区別することなく本考案に係る吹矢筒用クリーナ１を生産することができるので、製造効率の向上を図ることができる。
【００２５】
以上、本考案の実施形態を詳述したが、本考案は上記実施形態に限定されるものではない。本考案は、実用新案登録請求の範囲に記載された事項を逸脱することがなければ、種々の設計変更を行うことが可能である。例えば、上記実施形態は、単に、社団法人日本吹矢協会が公認する吹矢筒（全長１２０ｃｍ、内径１３ｍｍ）に適用することができる吹矢筒用クリーナ１を例示して説明したものに過ぎず、１つの棒状体に連結した状態の全長や、棒状体の外径等を変更し、これに応じて弾性紐状体、ガイド材、清掃部、持ち手部等の大きさ等を変更することにより、非公認の吹矢筒をはじめ、おもちゃの吹矢筒、個人の趣味で作製した吹矢筒等、様々な吹矢筒に適用することができる。そして、これらの吹矢筒に適用させた場合にも、吹矢筒とともに携帯しやすく、吹矢筒の内周面の清掃に使い勝手がよい吹矢筒用クリーナを提供することができる。
【００２６】
また、挿入係合部の材質、清掃部や持ち手部の穴の深さ、材質等も、吹矢筒用クリーナに求められる使用時および携帯時等の耐久性を備える限り、設計変更することが可能である。弾性紐状体も、上記実施形態では、耐久性の観点からバネと水糸とからなるものを例示したが、弾性を有する紐状体（索状体）であれば、適宜適用することができ、さらに、耐久性を備えるものであれば、部品点数を削減することができるので、さらに好ましい実施形態といえるものである。
【図面の簡単な説明】
【００２７】
【図１】本考案に係る吹矢筒用クリーナの折り畳んだ状態を示す正面図である。
【図２】本考案に係る吹矢筒用クリーナの組み立てた状態を示す正面図である。
【図３】本考案に係る吹矢筒用クリーナの構成部品を示す分解説明図である。
【符号の説明】
【００２８】
１      吹矢筒用クリーナー      
１１    第一の筒体
１１１  第一の筒体の他端部（１つの筒体の一端部）
１２    第二の筒体
１２１  被挿入係合部
１２２  被挿入係合部
１３    第三の筒体
１３１  第三の筒体の他端部（１つの筒体の他端部）
２１    挿入係合部
２２    挿入係合部
３      弾性紐状体
３１    バネ
３１１  第一のバネ
３１２  第二のバネ
３２    水糸
３２１  第一の水糸
３２２  第二の水糸
４１    清掃部
４１１  清掃部の穴
４２    持ち手部
４２１  持ち手部の穴
５１    第一の針金
５２    第二の針金
【図１】
0003137260.tif 000003
【図２】
0003137260.tif 000004
【図３】
0003137260.tif 000005